(57)【特許請求の範囲】
【請求項１】
ビデオオブジェクトユニットデータのシーケンスヘッダデータに含まれるアスペクト比を指定するアスペクトデータを書き換えて、第１のアスペクト比の第１のビデオオブジェクトユニットデータと第２のアスペクト比の第２のビデオオブジェクトユニットデータとを含むアスペクト比不均一のビデオデータを、第２のアスペクト比の第１のビデオオブジェクトユニットデータと第２のアスペクト比の第２のビデオオブジェクトユニットデータとを含むアスペクト比均一のビデオデータに変換する変換手段と、
前記変換手段により変換されたビデオデータを出力する出力手段と、
を備えたことを特徴とするビデオデータ変換装置。
【請求項２】
前記変換手段は、前記第１のビデオオブジェクトユニットデータの前記シーケンスヘッダデータに含まれる前記第１のアスペクト比を示すアスペクトデータを、前記第２のアスペクト比を示すアスペクトデータへ書き換える、
ことを特徴とする請求項１に記載のビデオデータ変換装置。
【請求項３】
各ビデオオブジェクトユニットデータは、シーケンスディスプレイエクステンションデータを含み、
前記シーケンスディスプレイエクステンションデータは、ディスプレイ水平サイズデータを含み、
前記変換手段は、前記第１のビデオオブジェクトユニットデータの前記シーケンスディスプレイエクステンションデータに含まれる第１のディスプレイ水平サイズデータを、第２のディスプレイ水平サイズデータへ書き換える、
ことを特徴とする請求項１に記載のビデオデータ変換装置。
【請求項４】
ＤＶＤ−Ｖｉｄｅｏ規格上の１タイトルとするために選択されたＤＶＤ−ＶＲ規格上のビデオデータに含まれる全てのビデオオブジェクトユニットデータのアスペクト比が同じか否かをチェックし、アスペクト比が異なる場合には注意を促すメッセージを表示する前処理手段を備え、
前記変換手段は、アスペクト比を均一にする旨の指示に基づき、選択されたビデオデータに含まれる全てのビデオオブジェクトユニットデータのシーケンスヘッダデータに含まれるアスペクトデータを同じアスペクト比を示すデータに書き換える、
ことを特徴とする請求項１に記載のビデオデータ変換装置。
【請求項５】
所定の記録先からビデオデータを読み出して読み出したビデオデータを所定の記録先へ記録する記録装置により実行されるビデオデータ変換方法であって、
前記記録装置は、ビデオオブジェクトユニットデータのシーケンスヘッダデータに含まれるアスペクト比を指定するアスペクトデータを書き換えて、第１のアスペクト比の第１のビデオオブジェクトユニットデータと第２のアスペクト比の第２のビデオオブジェクトユニットデータとを含むアスペクト比不均一のビデオデータを、第２のアスペクト比の第１のビデオオブジェクトユニットデータと第２のアスペクト比の第２のビデオオブジェクトユニットデータとを含むアスペクト比均一のビデオデータに変換し、
前記記録装置は、前記変換されたビデオデータを出力する、
ことを特徴とするビデオデータ変換方法。
【請求項６】
前記記録装置は、前記第１のビデオオブジェクトユニットデータの前記シーケンスヘッダデータに含まれる前記第１のアスペクト比を示すアスペクトデータを、前記第２のアスペクト比を示すアスペクトデータへ書き換える、
ことを特徴とする請求項５に記載のビデオデータ変換方法。
【請求項７】
各ビデオオブジェクトユニットデータは、シーケンスディスプレイエクステンションデータを含み、
前記シーケンスディスプレイエクステンションデータは、ディスプレイ水平サイズデータを含み、
前記記録装置は、前記第１のビデオオブジェクトユニットデータの前記シーケンスディスプレイエクステンションデータに含まれる第１のディスプレイ水平サイズデータを、第２のディスプレイ水平サイズデータへ書き換える、
ことを特徴とする請求項５に記載のビデオデータ変換方法。
【請求項８】
前記記録装置は、ＤＶＤ−Ｖｉｄｅｏ規格上の１タイトルとするために選択されたＤＶＤ−ＶＲ規格上のビデオデータに含まれる全てのビデオオブジェクトユニットデータのアスペクト比が同じか否かをチェックし、アスペクト比が異なる場合には注意を促すメッセージを表示し、
前記記録装置は、アスペクト比を均一にする旨の指示に基づき、選択されたビデオデータに含まれる全てのビデオオブジェクトユニットデータのシーケンスヘッダデータに含まれるアスペクトデータを同じアスペクト比を示すデータに書き換える、
ことを特徴とする請求項５に記載のビデオデータ変換方法。
【発明の詳細な説明】
【０００１】
【発明の属する技術分野】
この発明は、ＭＰＥＧに準拠したビデオデータを変換するビデオデータ変換装置及びビデオデータ変換方法に関する。
【０００２】
【従来の技術】
現在、光ディスクや磁気ディスクへリアルタイムでビデオデータを記録するためのフォーマットとしてDVD-Video Recording規格（以下、DVD-VR規格）が知られている。DVD-VR規格は、ビデオデータの符号化形式を定めた国際規格のMPEG(Moving Picture Expert Group)に準拠した形式となっており、リアルタイムでの録画、録画したデータの再生、編集等が容易に出来るようなフォーマットになっている。
【０００３】
一方、再生専用で映画等の映像作品が収められているDVD-Videoでは、その記録フォーマットとしてDVD-Video規格を用いている。DVD-Video規格もDVD-VR規格と同じくMPEG2に準拠した形式となっているが、再生専用メディアでの記録形式のため容易に編集ができるような構造がない。つまり、両規格はMPEGに準拠しているという点では近似しているが必ずしも同じではない。
【０００４】
例えば、両規格では、アスペクト比の設定に違いがある。例えば、DVD-VR規格では、比較的小さいデータ単位で異なるアスペクト比が設定可能であるのに対して、DVD-Video規格ではそのようなアスペクト比の設定は許されない。
【０００５】
一般的に、ディジタルビデオ信号のアスペクト比には、４：３と１６：９があることが知られており、例えば、ディジタルビデオ信号を現行方式（CCIR 601 525本方式でアスペクト比4:3、画素数720×486個）から高精彩方式（SMPTE 240M方式でアスペクト比16:9、画素数1920×1035個）にアップ変換する技術が開示されている（特許文献１）
【特許文献１】
特開平５−１３７１２４
【０００６】
【発明が解決しようとする課題】
上記したように、DVD-VR規格とDVD-Video規格では、アスペクト比の設定に関する違いがあるため、DVD-VR規格からDVD-Video規格へのデータ変換時に問題が生じる。上記した特許文献１に開示されている変換技術は、DVD-VR規格からDVD-Video規格へのデータ変換を想定したものではなく、上記問題解決には至らない。
【０００７】
DVD-VR規格からDVD-Video規格へのデータ変換の必要性は、例えば次のような理由から強く要望されている。近年、１回のみ書きこみ可能で、DVD-Videoディスクと物理的に互換性のあるDVD-Rディスクが普及している。DVD-RディスクへDVD-Video規格のフォーマットで書き込みを行う事により、このDVD-Videoが再生できる環境でDVD-Rディスクの再生が可能となる。そこでリアルタイム記録に適したDVD-VR規格の形式で映像を録画し、録画した映像に編集等を施した後、DVD-Video規格でDVD-Rへ書き込みを行う。このとき、DVD-VR規格からDVD-Video規格へのデータ変換が行なわれる。
【０００８】
このようなデータ変換のために、DVD-VR規格のデータを復号して再生し、その後DVD-Video規格のデータへ符号化してDVD-Rへ記録する方法がある。しかし、この方法では映像や音声のデータは復号された後、再び符号化されるため、オリジナルのビデオデータに劣化が生じてしまう。
【０００９】
この発明の目的は、上記したような事情に鑑み成されたものであって、オリジナルのビデオデータの品質を低下させることなく、オリジナルのビデオデータを目的のビデオデータへ変換することが可能なビデオデータ変換装置及びビデオデータ変換方法を提供することにある。
【００１０】
【課題を解決するための手段】
上記課題を解決し目的を達成するために、この発明のビデオデータ変換装置及びビデオデータ変換方法は、以下のように構成されている。
【００１１】
（１）この発明のビデオデータ変換装置は、ＭＰＥＧに準拠したビデオデータに含まれるアスペクト比を指定するデータを書き換えて、アスペクト比不均一のビデオデータを、アスペクト比均一のビデオデータに変換する変換手段と、前記変換手段により変換されたビデオデータを出力する出力手段と、を備えている。
【００１２】
（２）この発明のビデオデータ変換方法は、ＭＰＥＧに準拠したビデオデータに含まれるアスペクト比を指定するデータを書き換え、アスペクト比不均一のビデオデータを、アスペクト比均一のビデオデータに変換処理を実行する。
【００１３】
【発明の実施の形態】
以下、この発明の実施の形態について図面を参照して説明する。
【００１４】
まず、DVD-VR規格に準拠したDVD-VRデータのデータ構造とその内のアスペクト比情報について説明する。図１は、DVD-VR規格に準拠したDVD-VRデータのデータ構造を示す図である。図１に示すように、DVD-VR規格に準拠したDVD-VRデータは、音声、映像が符号化された複数のVOB(Video Object)、及び各VOBに対応し各VOBを管理する複数のM_VOBI(Movie AV File Information)を含む。また見方を変えると、DVD-VR規格に準拠したDVD-VRデータは、一つのオリジナルPGC（Original PGC（Program Chain））と複数のユーザ定義PGC（User Defined PGCを含む。Original PGCは、記録された表示データとその管理情報を含む。User Defined PGCは、管理情報のみから構成され、Original PGCにある表示データを参照する。
【００１５】
表示データは、上記した複数のVOB(Video Object)から構成される。VOBは複数のVOBU(Video Object Unit)から構成される。VOBUは通常0.5秒程度の表示データで、図２に示すように、RDI_PCK、V_PCK、A_PCK等から構成される。VOBUの先頭にはRDI_PCKが存在し、そのVOBUに関する情報等が記述されている。
【００１６】
DVD-VR規格でアスペクト比に関する情報は、上記したM_VOBI中にあるアスペクト比（Aspect ratio）とアプリケーションフラグ（Application Flag）、及び各VOBU中にあるRDI_PCK内のアスペクト比（Aspect ratio）がある。Application Flagは、そのVOB内のアスペクト比がM_VOBIのAspect ratioで単一となっているか、各RDI_PCKを参照する必要があるかを示す。RDI_PCK中のAspect ratioはそのVOBU内のアスペクト比を示す。
【００１７】
上記説明したDVD-VRデータのデータ構造が示すとおり、DVD-VR規格ではVOB内で異なるアスペクト比の映像データの混在が可能である。
【００１８】
表示データ中のアスペクト比に関する情報として、図４及び図５に示すように、シーケンスヘッダ（Sequence Header）内のアスペクト比情報（Aspect Ratio Information）やシーケンスディスプレイエクステンション（Sequence Display Extension）内のディスプレイ水平サイズ（Display Horizontal Size）、ディスプレイ垂直サイズ（Display Vertical Size）がある。
【００１９】
Sequence headerは、各VOBU内に存在する。Sequence display extensionは、Sequece headerの後に記述される情報であるが、必ずしも存在するとは限らない。
【００２０】
Aspect Ratio Informationは、シーケンス内のアスペクト比を記述するフィールドである。Display Horizontal SizeやDisplay Vertical Sizeは、活性領域の水平、垂直方向のサイズを規定するフィールドであり、Sequence header内にある水平、垂直方向のサイズとアスペクト比により決定される。
【００２１】
次に、DVD-Video規格に準拠したDVD-Videoデータのデータ構造とその内のアスペクト比情報について説明する。図６は、DVD-Video規格に準拠したDVD-Videoデータのデータ構造を示す図である。図６に示すように、DVD-Videoデータは、一つのVMG(Video Manager)と複数のVTS(Video Title Set)を含む。
【００２２】
VMGは、データ構造全体の管理情報や、タイトルメニューの情報である。VTSは、VTSI,VTSM_VOBS,VTSTT_VOBS,VTSI_BUPからなる。VTSIはタイトルセットの管理情報、VTSM_VOBSはタイトルセットのメニューの表示情報、VTSTT_VOBSはタイトルセットの表示情報、VTSI_BUPはVTSIのバックアップである。
【００２３】
VOBS(Video Object Set)は表示データと一部の管理情報を含み、複数のVOB(Video Object)から構成される。VOBは複数のCellから構成され、Cellは複数のVOBU(Video Object Unit)から構成される。VOBUは通常0.5秒程度の表示データで、図３に示すように、NV_PCK、V_PCK、A_PCK、SP_PCK等から構成される。VOBUの先頭には必ずNV_PCKが存在し、そのVOBUに関する情報等が記述されている。
【００２４】
DVD-Video規格において映像のアスペクト比に関する情報は、管理情報中にはVTSI中のビデオの属性を記述するVTS_V_ATR内のAspect ratioに存在し、VTS内の画像が4:3か16:9かを記述する。上記説明したDVD-Videoデータのデータ構造が示すとおり、DVD-Video規格ではVTS内で異なるアスペクト比の映像データの混在が不可能である。
【００２５】
表示データ中のアスペクト比に関する情報は、DVD-VR規格と同様、図４及び図５に示すように、シーケンスヘッダ（Sequence Header）内のアスペクト比情報（Aspect Ratio Information）やシーケンスディスプレイエクステンション（Sequence Display Extension）内のディスプレイ水平サイズ（Display Horizontal
Size）、ディスプレイ垂直サイズ（Display Vertical Size）がある。
【００２６】
次に、図７を参照して、本発明に係るフォーマット変換処理及び編集処理を行うことができる光ディスク記録再生編集装置の構造の一例について説明する。図７に示す光ディスク記録再生編集装置Ａは、メインＭＰＵ１０、フラッシュＲＯＭ１１、ワークメモリ１２、チューナ２０、ラインセレクタ２１、オーディオＡＤコンバータ２２、ビデオデコーダ２３、３ＹＣＤＮＲ２４、ＥＤＯ２５、フレーム同期器２６、ＳＤＲＡＭ２７、オーディオエンコーダ２８、ＭＰＥＧ２エンコーダ２９、ＳＤＲＡＭ３０、ＭＰＥＧデコーダ３１、ＳＤＲＡＭ３２、オーディオＤＡコンバータ３３、ビデオデコーダ３４、グラフィック回路３５、ＳＤＲＡＭ３６、タイマＭＰＵ４０、ディスプレイＭＰＵ５０、ディスプレイ５１、ＡＴＡＰＩコントローラ６０、ブリッジ回路６１、ＳＤＲＡＭ６２、コピープロテクト６３、ＣＰＲＭ６４を備えている。
【００２７】
光ディスク記録再生装置Ａの全体の動作は、メインＭＰＵ１０により制御される。メインＭＰＵ１０は、データバスを介してフラッシュＲＯＭ１１とワークメモリ１２とに接続されている。ラインセレクタ２１には、入力端子（ラインイン）及びチューナ２０が接続されている。チューナ２０は、タイマＭＰＵ４０と接続されている。タイマＭＰＵ４０は、チューナ２０の動作を制御する。タイマＭＰＵ４０はディスプレイＭＰＵ５０とも接続されており、ディスプレイＭＰＵ５０はディスプレイ５１と接続されている。タイマＭＰＵ４０及びディスプレイＭＰＵ５０は、ディスプレイ５１の動作を制御する。
【００２８】
ラインセレクタ２１から出力される信号は、オーディオＡＤコンバータ２２及び３ＹＣＤＮＲ２４に入力される。オーディオＡＤコンバータ２２から出力されるオーディオ信号は、オーディオエンコーダ２８に入力される。オーディオエンコーダ２８は、入力されたオーディオ信号をエンコードし、ＭＰＥＧ２エンコーダ２９に出力する。ＭＰＥＧ２エンコーダ２９には、ＳＤＲＡＭ３０が接続されている。３ＹＣＤＮＲ２４には、ＥＤＯ２５が接続されている。３ＹＣＤＮＲ２４から出力される信号は、ビデオデコーダ２３に入力される。ビデオデコーダ２３から出力される信号は、フレーム同期器２６に入力される。フレーム同期器２６には、ＳＤＲＡＭ２７が接続されている。フレーム同期器２６から出力されるフレーム信号は、ＭＰＥＧ２エンコーダ２９に入力される。
【００２９】
ＭＰＥＧ２エンコーダ２９は、入力された信号をエンコードする。このエンコードにより、例えばＭＰＥＧストリームデータが生成される。ＭＰＥＧ２エンコーダ２９で生成されたＭＰＥＧストリームデータは、ブリッジ回路６１に出力される。ブリッジ回路６１は、入力されたＭＰＥＧストリームデータをＡＴＡＰＩコントローラ６０に出力する。ＡＴＡＰＩコントローラ６０には、ＳＤＲＡＭ６２が接続されている。ＡＴＡＰＩコントローラ６０は、ＭＰＥＧストリームデータを、コピープロテクト６３経由でディスクドライブ１０１に出力したり、又はＣＰＲＭ６４経由でディスクドライブ１０２に出力したりする。
【００３０】
ディスクドライブ１０１は、ハードディスクＨＤに対してＭＰＥＧストリームデータを記録したり、ハードディスクＨＤに記録されているＭＰＥＧストリームデータを読み出したりする。ディスクドライブ１０２は、光ディスクＤに対してＭＰＥＧストリームデータを記録したり、光ディスクＤに記録されているＭＰＥＧストリームデータを読み出したりする。
【００３１】
ディスクから読み出されたＭＰＥＧストリームデータは、ＡＴＡＰＩコントローラ６０を介して、ＭＰＥＧデコーダ３１に入力される。ＭＰＥＧデコーダ３１には、ＳＤＲＡＭ３２が接続されている。ＭＰＥＧデコーダ３１は、ＭＰＥＧストリームデータをデコードし、オーディオＤＡコンバータ３３及びグラフィック回路３５に出力する。オーディオＤＡコンバータ３３は、ＭＰＥＧストリームデータに含まれるオーディオ信号を出力する。グラフィック回路３５には、ＳＤＲＡＭ３６が接続されている。グラフィック回路３５から出力されるグラフィック信号は、ビデオデコーダ３４に入力される。ビデオデコーダ３４は、ビデオ信号を出力する。
【００３２】
次にDVD-VR規格において録画されたデータをアスペクト比を変更してDVD-Video規格のデータに変換する一例を示す。一例として、ハードディスクドライブ１０１によりＨＤＤに格納されているDVD-VR規格のデータを読み出し、DVD-Video規格のデータに変換し、ディスクドライブ１０２により光ディスクＤに記録するケースについて説明する。
【００３３】
図８は、変換を開始する前の準備段階の一例を示すフローチャートである。ここで説明する前処理は、図７に示す光ディスク記録再生編集装置のメインＭＰＵ１０の制御により実行されるものとする。まず、ユーザーは、DVD-Video規格上の１タイトルとするため、ハードディスクＨＤに格納されたDVD-VR規格上のデータを選択する（Ｓ１２）。例えば、あるVOBが選択される。ここで、選択されたDVD-VR規格上のデータの画面比が単一で無い場合（アスペクト比不一致の場合）、この選択されたデータをそのままDVD-Video規格上の１タイトルへ変換する事が出来ない。従って、選択されたデータを簡易チェックする（Ｓ１３）。アスペクト比の混合がある場合には（Ｓ１４、ＹＥＳ）、ディスプレイＭＰＵ５０の制御により、ディスプレイ５１上にユーザーに注意をうながすためのメッセージが表示される（Ｓ１５）。アスペクト比の混在がなければ（ＳＴ１４、ＮＯ）、特にメッセージは通知されない。
【００３４】
ユーザーは、選択したデータの画面比を元の映像通りにするか（画面比変更無し）、４：３固定にするか（画面比変更有り）、１６：９固定にするか（画面比変更有り）を選択する（Ｓ１６）。元の映像どおりとする場合は従来の方法と同じである。もし変換中にアスペクト比の混在があった場合には、不正なデータが出来てしまう事を防ぐために、変換を中止する等の処理が必要となる。
【００３５】
次に、４：３固定または１６：９固定が選択されたと仮定し説明する。実際にDVD-VR規格のデータからDVD-Video規格のデータへ変換する手順を図９のフローチャートを元に説明する。ここで説明する変換処理は、図７に示す光ディスク記録再生編集装置のメインＭＰＵ１０の制御により実行されるものとする。また、変換に必要なデータ及び作成された各種データは、ワークメモリ１２のメモリ領域に展開されるものとする。つまり、メインＭＰＵ１０の制御により、変換に必要なデータがワークメモリ１２に読み出され、必要に応じて書き換えられ、各種データが作成される。
【００３６】
DVD-VR規格からDVD-Video規格へ変換する際、ハードディスクＨＤ中のDVD-VR規格の管理情報及び表示データから変換に必要となる値が読み込まれる（Ｓ１９）。次にDVD-Videoのファイルシステム、ＶＭＧの作成を行う（Ｓ２０）（Ｓ２１）。次にタイトル数の数だけVTSを作成する（ＳＴ２２〜ＳＴ２５）。VTSは、VTSI、VOBS、VTSIのバックアップからなる。
【００３７】
上記変換の中でアスペクト比に関係するのはVTSIとVOBSの作成である。VTSI中のV_ATR内のAspect ratioには、そのタイトルにおいて指定されたアスペクト比を記述する。VOBSの変換はDVD-VR規格のVOBから必要な値を書き換える事により行われるが、その中で各VOBUに存在するアスペクト比に関連する値を書き換える。
図１０はVOBSの変換の手順を示したフローチャートである。
【００３８】
ハードディスクＨＤからDVD-VR規格のデータのうち、変換対象となるVOBUを読み込み、ATAPIコントローラ６０を介してワークメモリ１２へ読み込まれる（Ｓ２８）。ワークメモリ１２へ読み込まれたVOBUはメインＭＰＵ１０により、DVD-Video規格のデータとなるようにいくつかの値が書き換えられる（Ｓ２９）。その後編集されたワークメモリ１２内のVOBUは、ATAPIコントローラ６０を介して光ディスクドライブ１０２により出力される。つまり、光ディスクＤへ書き込まれる（Ｓ３０）。以上の操作を全ての変換対象のVOBUに対して行う（ＳＴ３１）。
【００３９】
図１１はVOBUの変換のうちアスペクト比に関わる変換を示したフローチャートである。
【００４０】
まずSequence header内のAspect ratio informationを書き換える必要がある。Aspect ratio informationを書き換えるために、まずワークメモリ１２に入っているVOBUのデータからSequence start code を検索する（Ｓ３４）。Sequence start codeが検索されるとその相対位置としてAspect ratio informationの位置が検出できる。Aspect ratio informationにはユーザーにより指定されたアスペクト比に適した値を上書きする（Ｓ３５）。次にSequence display extensionが存在する場合には、Sequence Display extension内のDisplay horizontal sizeを書き換える必要がある。Display horizontal sizeを書き換えるために、Sequence Display extensionを検索する必要がある（Ｓ３６）。Sequence display extensionが存在しない場合には書き換える必要が無いので何もしない。Sequence display extensionが検索されるとその相対位置とSequence display extension内の値からDisplay horizontal sizeの位置が検出できる。Display horizontal extensionはユーザーにより指定されたアスペクト比に適した値を上書きする（Ｓ３８）。上記書き換えを全てのVOBUに対して行う事により、全てのVOBUを同じアスペクト比にする事ができる。
【００４１】
以下、この発明の作用効果についてまとめる。DVD-VR規格で録画されたビデオデータをDVD-Video規格のデータに変換する際、一つのタイトル内に異なるアスペクト比が存在する場合、DVD-Video規格の制限により、そのタイトルは変換するができなかった。例えば、DVD-VR規格のデータを復号して再生してから、その後DVD-Video規格のデータへ符号化する方法はある。しかし、この方法では映像や音声のデータは復号された後、再び符号化されるため、オリジナルのビデオデータに劣化が生じてしまう。
【００４２】
この発明は、DVD-VR規格のデータをDVD-Video規格のデータへ変換する際、一つのタイトル内に異なる画面比が存在する場合は、あらかじめ指定された値でタイトル内のアスペクト比を固定として変換する。アスペクト比を固定とする方法は、DVD-VR規格のデータをDVD-Video規格のデータへ変換する際、各VOBU毎にSequence header内のAspect ratio informationを指定されたアスペクト比に適合した値で書き換える。さらに、Sequence display extensionが存在する場合は、その中のDisplay horizontal sizeを、指定されたアスペクト比に適合した値で書き換える。これにより、一つのタイトル内に異なるアスペクト比が存在するDVD-VR規格のデータにおいても、オリジナルのビデオデータに劣化を生じさせることなく、DVD-Video規格のデータへ変換する事ができる。
【００４３】
上記方法を用いれば、MPEG規格に準拠した映像データを他のMPEG規格に準拠した映像データに変換する際に、同時にアスペクト比の変換が可能である。またMPEG規格に準拠した映像データについて、その全部又は一部のアスペクト比を変更する事が出来る。
【００４４】
図１２は、DVD-VR規格でTV番組を録画した時の例である。図１２に示す原信号を録画した時について説明する。つまり、画面比16:9の番組を録画するのが目的であるが、その直前の画面比4:3のソースから記録を開始したものとする。つまり、所定のタイミングで原信号のアスペクト比は4:3と16:9へと切り替わる。DVD-VR規格では、VOBU単位でアスペクト比を管理している。このため、原信号のアスペクト比の切り替わり位置と、録画後のアスペクト比の切り替わり位置とが一致しないことがある。つまり、原信号を符号化する際、16:9の番組が始まっていても、その始まりがVOBUの途中であった場合は、4:3のまま記録され、次のVOBUから画面比が16:9となる。従って16:9の番組の先頭は4:3として記録される可能性がある。このような録画データについて、16:9の番組の先頭部分を4:3から16:9へ変換する。変換は、図１１のフローチャートに従う。つまり、映像データ中の一部を指定したアスペクト比に変更することにより、目的の番組の映像データを、画面比16:9で得ることができる。
【００４５】
またアスペクト比の混在があるDVD-VR規格のデータをDVD-Video規格のデータへ変換可能にするもう一つの方法として、変換対象となるDVD-VR規格のデータのアスペクト比を固定にするという方法がある。この場合も上記例同様対象となるVOBUについて、図１１のフローチャートに従う変換を行う事により実現する事ができる。
【００４６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４７】
【発明の効果】
この発明によれば、オリジナルのビデオデータの品質を低下させることなく、オリジナルのビデオデータを目的のビデオデータへ変換することが可能なビデオデータ変換装置及びビデオデータ変換方法を提供できる。
【図面の簡単な説明】
【図１】  DVD-VR規格に準拠したDVD-VRデータのデータ構造を示す図である。
【図２】  DVD-VR規格におけるVOBUのデータ構造を示す図である。
【図３】  DVD-Video規格におけるVOBUのデータ構造を示す図である。
【図４】表示データ中のアスペクト比に関する情報を含むシーケンスヘッダのデータ構造を示す図である。
【図５】表示データ中のアスペクト比に関する情報を含むシーケンスディスプレイエクステンションのデータ構造を示す図である。
【図６】  DVD-Video規格に準拠したDVD-Videoデータのデータ構造を示す図である。
【図７】フォーマット変換処理及び編集処理を行うことができる光ディスク記録再生編集装置の構造の一例を示す図である。
【図８】  DVD-VR規格に準拠したデータをDVD-Video規格に準拠したデータへ変換するための前処理を説明するためのフローチャートである。
【図９】  DVD-VR規格に準拠したデータからDVD-Video規格に準拠したデータへ変換する変換処理を説明するためのフローチャートである。
【図１０】  DVD-VR規格に準拠したVOBSをDVD-Video規格に準拠したVOBSへ変換するVOBS変換処理を説明するためのフローチャートである。
【図１１】  VOBU変換処理のうちアスペクト比に関わる変換を示すフローチャートである。
【図１２】アスペクト比が途中で切り替わる放送を録画したとき、録画データを適切なアスペクト比のデータへ変換する処理を説明するためのフローチャートである。
【符号の説明】
１０…メインＭＰＵ
１１…フラッシュＲＯＭ
１２…ワークメモリ
２０…チューナ
２１…ラインセレクタ
２２…オーディオＡＤコンバータ
２３…ビデオデコーダ
２４…３ＹＣＤＮＲ
２５…ＥＤＯ
２６…フレーム同期器
２７…ＳＤＲＡＭ
２８…オーディオエンコーダ
２９…ＭＰＥＧ２エンコーダ
３０…ＳＤＲＡＭ
３１…ＭＰＥＧデコーダ
３２…グラフィック回路
３３…オーディオＤＡコンバータ
３４…ビデオエンコーダ
３５、３６…ＳＤＲＡＭ
４０…タイマＭＰＵ
５０…ディスプレイＭＰＵ
５１…ディスプレイ
６０…ＡＴＡＰＩコントローラ
６１…ブリッジ
６２…ＳＤＲＡＭ
６３…コピープロテクト
６４…ＣＰＲＭ
１０１、１０２…ディスクドライブ
【図１】
0003793145.tif 000002
【図２】
0003793145.tif 000003
【図３】
0003793145.tif 000004
【図４】
0003793145.tif 000005
【図５】
0003793145.tif 000006
【図６】
0003793145.tif 000007
【図７】
0003793145.tif 000008
【図８】
0003793145.tif 000009
【図９】
0003793145.tif 000010
【図１０】
0003793145.tif 000011
【図１１】
0003793145.tif 000012
【図１２】
0003793145.tif 000013